(57)【要約】【課題】  乳児・幼児などの小児、或いは高齢者患者における脱水症状を診断する、簡便な尿中ケトン体の有無を、外部から検出し得る手段、特に尿中ケトン体検出紙オムツを提供すること。【解決手段】  紙オムツを構成する前面腹部側の吸収部材における排尿部位の近傍部分に、尿中ケトン体を検知できる尿検査試験紙を組み入れ、  吸収部材をカバーする紙オムツ外側防水材の表面部に、当該尿試験紙を外部から目視し得るウインドウ部を設けたことを特徴とする、尿中ケトン体検出紙オムツであり、吸収部材が、高吸水性ポリマービーズからなり、紙オムツ外側防水材の表面部に設けたウインドウ部を、透明部材で被覆した尿中ケトン体検出紙オムツである。【選択図】  図２
2017032338.tif 000002
【特許請求の範囲】
【請求項１】
紙オムツを構成する前面腹部側の吸収部材における排尿部位の近傍部分に、尿中ケトン体を検知できる尿検査試験紙を組み入れ、
吸収部材をカバーする紙オムツ外側防水材の表面部に、当該尿試験紙を外部から目視し得るウインドウ部を設けたことを特徴とする、尿中ケトン体検出紙オムツ。
【請求項２】
吸収部材が、高吸水性ポリマービーズからなるものである請求項１に記載の尿中ケトン体検出紙オムツ。
【請求項３】
排出された尿と尿検査試験紙とが直接接触して尿検査試験紙に反応するように、尿検査試験紙の組み入れを、吸収部材である高吸水性ポリマービーズに設けた空隙部中に組み入れたものである、請求項１に記載の尿中ケトン体検出紙オムツ。
【請求項４】
紙オムツ外側防水材の表面部に設けたウインドウ部を、透明部材で被覆した請求項１に記載の尿中ケトン体検出紙オムツ。
【請求項５】
脱水症を診断するために使用することを特徴とする、請求項１ないし４のいずれかに記載の尿中ケトン体検出紙オムツ。
【発明の詳細な説明】
【技術分野】
【０００１】
本発明は、尿を吸収する紙オムツに係り、特に、尿中のケトン体の有無を検出し、脱水症を診断し得る機能を付加した、尿中ケトン体検出紙オムツに関する。
【背景技術】
【０００２】
医療上、脱水症を呈する疾患は非常に多く存在する。風邪や肺炎、インフルエンザなどに代表される主に発熱を伴う様々な感染症は、注意して水分補給を行わないと、気が付かないうちに脱水症になっていることがしばしば観察される。
また、感染性の胃腸炎、特にウイルス性胃腸炎であるノロウイルス感染症、ロタウイルス感染症などに罹患すると、嘔吐、下痢症状が強いために、直ちに脱水症状に陥る。
【０００３】
さらに、近年の温暖化現象に伴い、夏場になると、野外活動中の熱中症による脱水症状が多く、また、野外活動のみならず、室内でもエアコンの使用を制限し、熱気の侵入を防ぐために、閉めきった状態で扇風機等のみの使用による生活は、熱中症、脱水症になっていることが、我々医療従事者はしばしば経験することである。
このように、乾燥した環境や、閉鎖空間、暑熱環境下等における身体適応の障害、さらには発熱、嘔吐症、下痢症などの状況になると簡単に脱水症が引き起こされる。
【０００４】
臨床の場では、このように種々の要因で体液が減少すると脱水症になるが、この脱水症は重症になると、急性循環不全症、急性腎不全症、ショック、痙攣などの多臓器症状を併発し致命的になるために、迅速な検査、早期診断、および適切な治療を必要とする。
特に小児の場合は、大人と比較して発汗量が多く、代謝機能も未発達のため脱水症状になり易い。さらに、乳幼児では、自分で症状を訴えられないため、検査を行わずに脱水症を判断するのは極めて困難である。
【０００５】
脱水症の診断には、血清または尿中成分の臨床検査データが非常に有用な情報となるが、乳幼児からの採血は手技上だけでなく、泣き叫ぶケースが殆どであり，実際に困難を極めている。また、採尿に関しても、脱水を呈しているときは尿意を感じないばかりでなく、尿が出ないことが多く、尿の採取もかなり困難である。
一方、高齢者にあっても、加齢に伴い体液量が健常成人と比較して低下しており、また口渇感の感受性も鈍感となっているために水分補給を行わず、全く気が付かないうちに脱水症となっていることが多く認められる。
さらには、いわゆる認知症（痴呆症）に罹患している高齢者にあっては、自己の症状を訴えることがほとんど不可能であり、最悪の場合には、寝たきり状態のままで脱水症を呈したまま見落とされていることが、時々認められる。
このように、特に、乳児・幼児などの小児や高齢者は、極めて脱水症になりやすい状況にある。
上記したように、一般的に医療機関で脱水症を診断するには、採尿、採血することが不可欠であるが、現実的には、脱水症の患者から採尿、採血、特に乳幼児からの採血、採尿は極めて困難な状態にあるのが現状である。
【０００６】
ところで、一般的に医療の現場では、脱水症に罹患しているか否かの診断の一手段として、尿中ケトン体の有無を測定することが行われている。
ケトン体とは、肝臓内で生成された脂肪酸やアミノ酸から合成される成分（不完全代謝産物）であり、アセトン、アセト酢酸、β−ヒドロキシ酪酸の総称である。
一般的にこのケトン体は、主に生命維持に欠かせない心臓や腎臓などの各種臓器のエネルギー源としての働きを有している。すなわち、基本的なエネルギー源は、グルコース（ブドウ糖）であるが、ケトン体は、このグルコースが何らかの障害や疾患で生成されなくなった場合に、その代用エネルギー源として生成するものである。
したがって、ケトン体は、主に体内のブドウ糖不足、糖代謝の異常など、生体が正常に機能していない時に生成されるものである。
【０００７】
すなわち、血糖を表す指標である血糖値が異常に低い値を示すケースは、エネルギー源としての糖分（グルコース）が不足することから、この場合には、肝臓で脂肪を分解して脂肪酸を生成し、この脂肪酸がエネルギー源として使用される。しかしながら、この脂肪酸の生成が一定量を超えてくると、新たにアセトン、アセト酢酸、β−ヒドロキシ酪酸が生成され、これらの成分がケトン体となっている。
かかるケトン体は、血液中の濃度が一定量以上になると、尿中に排泄され、尿のケトン体量も上昇することとなる。
したがって、脱水症状などにより十分なエネルギー源（グルコース）が身体に供給されない時にもケトン体が上昇することから、脱水症状を起こした際に、水分不足と共に血糖値が下がり、尿中ケトン体の上昇が観察されてくる。
このような観点から、尿中ケトン体の有無の確認は、脱水症状の診断の一つの手段として利用されているものである。
【０００８】
これまでに、尿中の成分を目視で容易に検査し得る手段として、例えば、被介護者からの尿を分離採取することなく、オムツの交換時に尿中成分を検査し得る、尿検査オムツが提案されている（特許文献１）。
この特許文献１が提案する尿検査オムツは、使い捨てオムツの内側の所定位置、例えば、被介護者の陰股部に対応する中央部に、各種の試験試薬を含浸させたものであり、被介護者の排尿により試験試薬が反応し、変色することにより、尿ｐＨ、尿糖、尿タンパクなどの検査ができるものとされている。
【０００９】
しかしながら、係る尿検査オムツは、目視で検査し得るものであっても、オムツの交換時にしか検査できないものであり、また、試験薬を含浸させた位置が、陰股部に対応する中央部であることから、排尿だけにとどまらず、排便による変色があり、正確な検査ができにくいといった問題がある。そのうえ、脱水症状の検査は、一刻をも争うことから、常時尿中ケトン体の検出としては不向きなものである。
特に、尿中のケトン体の有無の観察は脱水症状の診断に極めて重要なものであるが、上記したように、乳児・幼児などの小児、或いは高齢者患者から採尿は、極めて困難な状態にあり、かかる観点からこれら乳児・幼児などの小児、或いは高齢者患者における脱水症状を診断することができる、簡便な尿中ケトン体を検出し得る手段の開発が望まれているのが現状である。
【先行技術文献】
【特許文献】
【００１０】
【特許文献１】特開２００１−２８９８４５号公報
【発明の概要】
【発明が解決しようとする課題】
【００１１】
したがって、本発明は、乳児・幼児などの小児、或いは高齢者患者における脱水症状を診断し得る、簡便な尿中ケトン体の有無を、外部から検出し得る手段、特に尿中ケトン体検出オムツを提供することを課題とする。
【課題を解決するための手段】
【００１２】
かかる課題を解決するために本発明者は鋭意検討を加え、紙オムツの前面腹部側に、尿中ケトン体を検知できる尿試験紙を組み入れ、当該尿試験紙の尿による反応結果（色彩変化）を直接外部から目視することにより、尿中ケトン体の有無の検出が可能であることに着目し、その結果、本発明を完成させるに至った。
【００１３】
すなわち、本発明は、その基本的態様として；
紙オムツを構成する前面腹部側の吸収部材における排尿部位の近傍部分に、尿中ケトン体を検知できる尿検査試験紙を組み入れ、
吸収部材をカバーする紙オムツ外側防止材の表面部に、当該尿試験紙を外部から目視し得るウインドウ部を設けたことを特徴とする、尿中ケトン体検出紙オムツ、
である。
【００１４】
また、本発明は具体的な態様として、吸収部材が、高吸水性ポリマービーズからなるものである上記の尿中ケトン体検出紙オムツである。
【００１５】
より具体的な本発明は、人体より排泄された尿と尿検査試験紙とが直接接触して尿検査試験紙に反応するように、尿検査試験紙の組み入れを、高吸水性ポリマービーズの空隙部中に組み入れたものである、上記の尿中ケトン体検出紙オムツである。
すなわち、人体から排泄された尿が尿検査試験紙と直接接触して尿検査試薬に反応する一方、余分な尿は高吸水性ポリマービーズ中に吸収されるように構成されたものである。
【００１６】
さらに本発明は、上記の紙オムツ外側防水材の表面部に設けたウインドウ部を、透明部材で被覆した尿中ケトン体検出紙オムツである。
【００１７】
特に本発明は、脱水症を診断するために使用することを特徴とする、上記した尿中ケトン体検出紙オムツである。
【発明の効果】
【００１８】
本発明が提供する尿中ケトン体検出紙オムツは、採尿が極めて困難である乳児・幼児などの小児、或いは高齢者における尿中ケトン体の有無を、紙オムツの外部から目視的に検出し得るものであり、脱水症状の診断を迅速に行うことができ、脱水症状に対する適切な治療を施すことができる点で、その医療上の効果は特異的なものである。
【図面の簡単な説明】
【００１９】
【図１】本発明の尿ケトン体検出紙オムツとして、テープ型紙オムツの場合の正面からみた概略図である。
【図２】第１図の本発明のテープ型の尿ケトン体検出紙オムツを広げた状態を示した斜視図である。
【図３】第２図におけるＡ−Ａ線の部分断面拡大図である。
【図４】本発明の尿ケトン体検出紙オムツとして、パンツ型紙オムツの場合の正面からみた概略図である。
【発明を実施するための形態】
【００２０】
本発明は、上記したように、その基本的態様は；
紙オムツを構成する前面腹部側の吸収部材における排尿部位の当接近傍部分に、尿中ケトン体を検知できる尿検査試験紙を組み入れ、
吸収部材をカバーする紙オムツ外側防水材の表面部に、当該尿試験紙を外部から目視し得るウインドウ部を設けたことを特徴とする、尿中ケトン体検出紙オムツ、
である。
【００２１】
通常、紙オムツには、大きく分けて、テープ型紙オムツと、パンツ型紙オムツがある。テープ型紙オムツは、立体裁断された紙オムツであり、腰の部分の２ヵ所をテープ（例えば、面ファスナー：いわゆるマジックテープ：登録商標）で止めるだけで、オムツカバーとオムツの両方を兼ねてしまう、テープ型という形の紙オムツである。
一方、パンツ型紙オムツは、下着のパンツのように一体成形した形で、立ったまま穿かせることができる紙オムツである、
このパンツ型紙オムツは、一体成形され下着のように穿く形式の紙オムツであり、オムツ離れの時期を迎えた幼児に対するオムツ離れを促すものや、排尿告知ができるようになった幼児が、おねしょ（夜尿症）の防止のために寝るときだけに使用するものなどがある一方、高齢者における被介護者が自ら装着することができるものとして、近年その需要が大きいものとなってきている。
すなわち、排泄ケアという役割を超えて、高齢者の人格ある自立への意欲を刺激する、今後の本格的高齢社会に対応した「高齢者の排泄自立」というテーマを持っているのが特長である。
【００２２】
本発明の尿中ケトン体検出紙オムツは、このテープ型紙おむつ、並びにパンツ型紙オムツのいずれの形態の紙オムツであっても良い。
紙オムツは、通常肌に接する「表面材」、尿を吸収する「吸収体」及びオムツカバーの役目をする「防水材」の３つで構成されている。
肌に接する「表面材」は、水分を吸収せず尿を吸収体に通過させやすいポリプロピレン製の不織布が使用されており、「吸収体」は、高分子吸水材として高吸収性樹脂（Super Absorbent Polymer：ＳＡＰ）による高吸水性ポリマービーズ、主として、ポリアクリル酸塩のビーズからなる薄型パッドであり、高い吸水性と、保水性を有しており、高分子吸水材（薄型パッド）が一度吸収した水分は、外から多少の圧力がかかったとしても、ほとんど放出しないという高い保水性を併せ持つ。
したがって、オムツカバーの役目をなす「防水材」は、「表面材」の不織布と一体として構成され、「表面材」と「防水材」の積層された２枚の不織布内部に「吸収体」としての高吸水性ポリマービーズが、吸水パッドとして積層されている。
【００２３】
本発明が提供する尿中ケトン体検出紙オムツは、この吸水パッドとして２枚の不織布内部に積層される高吸水性ポリマービーズ中に、尿中ケトン体を検知できる尿検査試験紙を組み入れ、防水材である吸収部材をカバーする紙オムツ外側の防水材の表面部に、当該尿試験紙を外部から目視し得るウインドウ部を設けた構成を採用するものである。
【実施例】
【００２４】
以下に、本発明が提供する尿中ケトン体検出紙オムツについての具体的実施例を、図面を参照にしながら説明する。
【００２５】
図１は、テープ型紙オムツにおける本発明の尿中ケトン体検出紙オムツ１を示した正面概略図である。
本発明の尿中ケトン体検出紙オムツ１は、紙オムツの前面腹部側２の吸収部材３（図中図示せず）における排尿部位の近傍部分に、尿中ケトン体を検知できる尿検査試験紙４を組み入れ、吸収部材をカバーする紙オムツ外側防水材の表面部５に、当該尿試験紙を外部から目視し得るウインドウ部６を設けたことを特徴とする、尿中ケトン体検出紙オムツである。
【００２６】
第２図に、第１図の紙オムツ１を広げた状態を示した斜視図を示す。
当該紙オムツは、一般的に、肌に接する表面材１１、吸収体となる高吸水性ポリマービーズからなる吸収部材３（１３）である吸水パッド、及びオムツカバーの役目をなす防水材５から構成されており、吸収部材３（１３）である薄型の吸水パッドは、積層された表面材１１と防水材５の間に積層されている。
なお、図中１５はレッグギャザーであり、１６は立体ギャザーであり、１４はオムツ止める面ファスナー（図中図示せず）を設けるテープ部分である。
【００２７】
本発明の尿中ケトン体検出紙オムツ１は、上記したように、紙オムツを構成する前面腹部側２における吸収体となる高吸水性ポリマービーズからなる吸収部材３（１３）である薄型吸水パッドに、尿中ケトン体を検知できる尿検査試験紙４を組み入れたものであるが、この試験紙４の組み入れは、例えば、吸収部材３（１３）における排尿部位の近傍部分に組み入れるのがよい。
当該試験紙４の組み入れは、例えば、高吸水性ポリマービーズからなる吸収部材３（１３）の薄型吸水パッドの排尿部位近傍を、比較的薄い空隙状態としてその部分に、肌に影響を与えない接着剤により、或いは両面テープにより試験紙４を組み入れることで行うことができる。
【００２８】
また、その組み入れ箇所は、排尿部位の近傍部分であるが、男子、女子により排尿部位の位置の違いがあるため、その両者の位置の違いをカバーし得る近傍部分が好ましい。
尿中ケトン体検出用試験紙４の大きさは、一概には限定できないが、尿との接触反応により試験紙の色彩変化が充分に認められる程度の大きさであれば良く、３〜５ｍｍ四方の矩形程度でよく、例えば、市販されている尿検査試験紙の尿中ケトン体試験紙をそのまま使用することもできる。
かかる尿中ケトン体試験紙４は、例えば、ウロペーパーＩＩＩＫ（栄研化学）として市販されている。
【００２９】
本発明が提供する尿中ケトン体検出紙オムツ１は、係る尿中ケトン体の、尿との接触反応による試験紙４の色彩変化を、紙オムツを装着したまま外部から観察できるよう、吸収部材をカバーする紙オムツ外側の防水材の表面部５に、当該尿試験紙４を外部から目視し得るウインドウ部６を設ける。
当該ウインドウ部６は、その大きさとして、尿検査試験紙４の色彩変化を観察し得るのに十分な大きさがあれば良く、例えば、１〜２ｃｍ四方の矩形であれば良い。また、そのウインドウ部６は、外部から目視し得るよう澄明の材料でカバーされているのがよい。
また、透明な部材を用いなくても、ウインドウ部６を開閉自在とするものとして、外部表面部の防水部材５（１２）と同一の材料を用い、例えば、三方に切込線を入れたものとして構成することもできる。
【００３０】
本発明が提供する尿中ケトン体検出紙オムツは、装着した状態のまま人体から排出された尿が、尿検査試験紙４と直接接触することにより試験紙４と反応し、試験紙４の色彩変化により尿中ケトン体の有無を検出し得るように構成されている。さらに余分な尿は、吸水部材３（１３）である高吸水性ポリマービーズからなる吸水パッドにより吸収されるよう構成されている。
具体的には、尿中にケトン体がない状態の性状の尿と試験紙４との接触では、試験紙に含浸された試薬との反応が生ぜず、試験紙４本来の色彩（薄い淡黄色）のままである（陰性判定）が、尿中ケトン体が存在する場合には、当該ケトン体との接触による反応により試験紙４が紫色に変化し、ケトン体陽性となる。
この色彩変化を、紙オムツを装着したまま外部からウインドウ部６から観察できるものであり、したがって、乳児・幼児などの小児、或いは高齢者患者から採尿することなく、脱水症状の診断のメルクマールである尿中ケトン体の有無を、外部から簡便に検出し得ることとなる。
【００３１】
第３図に、第２図のＡ−Ａ線の部分断名拡大図を示した。
すなわち、第３図は本発明の尿中ケトン体検出紙オムツ１における尿検査試験紙４の高吸水性ポリマービーズ１３中への組み入れを示すと共に、尿検査試験紙の色彩変化を外部から目視できるウインドウ部６および当該ウインドウ部６を透明のシールでカバーした状態を示した概略説明図である。
【００３２】
図１及び図２に基づく上記の説明は、いわゆるテープ型紙オムツを例に挙げて説明したものであるが、図４にパンツ型紙オムツにおける状態を示した。なお、図３中の符号は、図１及び図２と同一である。
すなわち、本発明の尿中ケトン体検出紙オムツ１は、紙オムツの前面腹部側２の吸収部材３（図中図示せず）における排尿部位の近傍部分に、尿中ケトン体を検知できる尿検査試験紙４を組み入れ、吸収部材をカバーする紙オムツ外側の防止材の表面部５に、当該尿試験紙４を外部から目視し得るウインドウ部６を設けた尿中ケトン体検出紙オムツ１である。
このパンツ型紙オムツにおける尿試験紙４の吸収体となる高吸水性ポリマービーズからなる吸収部材３，１３（図中図示せず）への組み入れ等については、上記した図１及び図２における説明と同様である。
【００３３】
以上のように構成される本発明の尿ケトン体検出紙オムツは、紙オムツを装着した状態のままで、外部から尿中ケトン体の有無を観察し得るものであり、乳児・幼児などの小児、或いは高齢者患者から採尿することなく、脱水症状の診断のメルクマールである尿中ケトン体の有無を、外部から簡便に検出し得る。
【産業上の利用可能性】
【００３４】
以上に説明したように、本発明により、乳児・幼児などの小児、或いは高齢者患者における脱水症状を診断し得る、簡便な尿中ケトン体の有無を、外部から検出し得る尿中ケトン体検出紙オムツを、社会に提供することができる。その結果、丹生中ケトン体検出紙オムツを用いて脱水症状の有無を迅速に判断することができ、脱水状態に対する適切な治療を施すことができる点で、その医療上の効果は特異的なものである。
【符号の説明】
【００３５】
１      尿中ケトン体検出紙オムツ
２      紙オムツの前面腹部側
３      吸水部材（吸水パッド）
４      尿試験紙
５      防水部材
６      ウインドウ部
１１    表面材
【図１】
2017032338.tif 000003
【図２】
2017032338.tif 000004
【図３】
2017032338.tif 000005
【図４】
2017032338.tif 000006